(57)【要約】【課題】刃部と柄の連結角度を任意に設定できると共に、大きな力が加わっても刃部と柄の角度を保持することができる可動式鍬を提供するものである。【解決手段】平板状をなす刃部２の上面に、略半円形状のベース板３を垂直に突設し、このベース板３の外周に沿って所定の間隔で複数個のピン貫通孔６を開孔すると共に、ベース板３の中心に軸を貫通させて、この貫通した軸の両端を支持する軸支持部１０を設け、この軸支持部１０の上部に、ロックピン２３のピン貫通孔１３を開孔し、更にこのピン貫通孔１３の上部に柄４を接続して、前記軸支持部１０を回動させ、ベース板３に開口した任意のピン貫通孔６に、軸支持部１０のピン貫通孔１３を合わせてロックピン２３を貫通させ、ベース板３と軸支持部１０を連結することにより、刃部２と柄４の角度を調整できるようにしたものである。【選択図】図２
2006067833.tif 000002
【特許請求の範囲】
【請求項１】
平板状をなす刃部の上面に、略半円形状のベース板を垂直に突設し、このベース板の外周に沿って所定の間隔で複数個のピン貫通孔を開孔すると共に、ベース板の中心に軸を貫通させて、この貫通した軸の両端を支持する軸支持部を設け、この軸支持部の上部に、ピン貫通孔を開孔し、更にこのピン貫通孔の上部に柄を接続して、前記軸支持部を回動させ、ベース板に開口した任意のピン貫通孔に、軸支持部のピン貫通孔を合わせてロックピンを貫通させ、ベース板と軸支持部を連結することにより、刃部と柄の角度を調整できるようにしたことを特徴とする可動式鍬。
【請求項２】
ロックピンをボルトで形成し、ベース板に開孔したピン貫通孔と、軸支持部に開孔したピン貫通孔とを合わせて、前記ボルトを貫通させて蝶ナットで固定し、軸支持部とベース板を連結するようにしたことを特徴とする請求項１記載の可動式鍬。
【発明の詳細な説明】
【技術分野】
【０００１】
本発明は、柄と刃部のなす角度を任意に設定できる可動式鍬に関する。
【背景技術】
【０００２】
一般に使用されている鍬は、刃に一定の角度で口金を設け、この口金に柄を差し込んで連結した構造をなし、柄と刃部とのなす角度は一定に固定されている。このため畝作りの場合や、土寄せ用など用途に合わせたり、作業姿勢に合わせて角度の異なるものを使い分けていた。
【０００３】
また刃部と柄との角度は固定されているため、倉庫などに保管する場合には、刃部を床において柄を立てた状態で保管している。しかしながら、この状態では、柄が斜めになっているので場所をとり、数本の鍬を保管しておくと広いスペースを占めてしまう問題があり、また刃部が床においてあるので、足で踏んで怪我をする恐れもあった。
【０００４】
このため、刃部と柄のなす角度を可変にした鍬が提案されている。これは刃部に取付基端部を突設し、ここに柄の下端をボルトとナットで軸着し、ナットを緩めて柄の角度を変えるようにしたものである（例えば特許文献１）。
【０００５】
しかしながら、刃部と柄の連結をボルトとナットで行なった構造では、土を起こす時に大きな力が連結部分に加わってナットが緩むと、刃部の角度が変わってしまう問題があった。つまりボルトは、刃部と柄の連結部分の支持と同時に、柄の角度を保持する部分であることから、ここにナットの締め付け力より大きな力が加わると、緩んでしまうからである。このため力の弱い女性がセットしても締め付け力が少ないと、使用中に大きな力が加わってナットが緩んでしまい、刃部を固定できない欠点があり実用性に乏しいものであった。
【特許文献１】特開２０００−６０２０１
【発明の開示】
【発明が解決しようとする課題】
【０００６】
本発明は上記問題を改善し、刃部と柄の連結角度を任意に設定できると共に、柄の角度保持機構を、略半円形状のベース板と軸支持部とをロックピンで連結する構成とすることにより、大きな力が加わっても刃部と柄の角度を保持することができる可動式鍬を提供するものである。
【課題を解決するための手段】
【０００７】
本発明の請求項１記載の可動式鍬は、平板状をなす刃部の上面に、略半円形状のベース板を垂直に突設し、このベース板の外周に沿って所定の間隔で複数個のピン貫通孔を開孔すると共に、ベース板の中心に軸を貫通させて、この貫通した軸の両端を支持する軸支持部を設け、この軸支持部の上部に、ピン貫通孔を開孔し、更にこのピン貫通孔の上部に柄を接続して、前記軸支持部を回動させ、ベース板に開口した任意のピン貫通孔に、軸支持部のピン貫通孔を合わせてロックピンを貫通させ、ベース板と軸支持部を連結することにより、刃部と柄の角度を調整できるようにしたことを特徴とするものである。
【０００８】
本発明の請求項２記載の可動式鍬は、ロックピンをボルトで形成し、ベース板に開孔したピン貫通孔と、軸支持部に開孔したピン貫通孔とを合わせて、前記ボルトを貫通させて蝶ナットで固定し、軸支持部とベース板を連結するようにしたことを特徴とするものである。
【発明の効果】
【０００９】
本発明に係る請求項１記載の鍬によれば、略半円形状のベース板と柄を支持する軸支持部とは回動自在に連結され、ベース板に開孔したピン貫通孔と、軸支持部に開孔したピン貫通孔とを合わせて、ロックピンで連結することにより刃部と柄の角度を任意に調整することができる。このため１丁の鍬で、用途や作業姿勢に合わせて数種類の役割を果たすことができると共に、折り畳んで収納することができるので保管スペースを少なくすることができる。
【００１０】
また略半円形状のベース板と柄に取付けた軸支持部とは、ボルトとロックピンの両方で連結されているので、大きな力が加わっても変形することがない。このため力の弱い女性がセットしても、使用中に刃部が固定されているので角度を保持することができる。
【００１１】
また請求項２記載の可動式鍬によれば、ロックピンをボルトで形成し、ベース板に開孔したピン貫通孔と、軸支持部に開孔したピン貫通孔とを合わせて、前記ボルトを貫通させて蝶ナットで固定するようにしたので、ロックピンの取付けや取外しが容易である。
【発明を実施するための最良の形態】
【００１２】
簡単な操作で、刃部と柄の連結角度を任意に設定できると共に、大きな力が加わっても刃部と柄の角度を確実に保持することができる可動式鍬を実現した。
【実施例】
【００１３】
以下本発明の実施例を図１ないし図３を参照して詳細に説明する。図において１は可動式鍬を示すもので、平板状をなす刃部２の上面に厚い鋼板で形成された略半円形状のベース板３を溶接して垂直に固定し、ここに回動自在に木製の柄４を取付けたものである。
【００１４】
前記略半円形状のベース板３は、図３に示すように中心に軸貫通孔５が開口され、更に図２に示すように、その外周に沿って所定の間隔で複数個のピン貫通孔６が同一円周上に開孔されている。
【００１５】
柄４を取付ける軸支持部１０は図３に示すように、２枚の鋼板１１、１１を折曲して形成され、下部側に軸貫通孔１２が開孔されていると共に、この上部にピン貫通孔１３が開孔され、更にこの上部は平面コ字形に折曲され、ここに２個のボルト貫通孔１４、１４が上下に開孔されている。また木製の柄４は、上部が円柱状に形成され、下部側は角柱状に形成され、ここに２個のボルト貫通孔１５、１５が開孔されている。この木製の柄４の角柱状に形成された下部側を両側から囲むように、軸支持部１０の上部の平面コ字形に折曲した部分を取付け、前記ボルト貫通孔１４、１５にボルト１６を貫通してナット１７で固定されている。
【００１６】
また略半円形状のベース板３の中心に開孔した軸貫通孔５と、軸支持部１０の軸貫通孔１２とを合わせて、ここに回転中心軸となるボルト２０を貫通してナット２２で連結され、木製の柄４を取付けた軸支持部１０がボルト２０を回転中心として回動自在に支持されている。
【００１７】
また軸支持部１０のピン貫通孔１３から、ベース板３の任意のピン貫通孔６に、ロックピン２３となる頭部が蝶ナット状に形成されたボルト２４を貫通させ、その先端を蝶ナット２５で固定して、柄４が図１に示すように刃部２と角度αの状態になるように組立てられている。
【００１８】
上記構成の可動式鍬１は、図１に実線で示すように、刃部２と木製の柄４とのなす角度αの状態で使用してから、仮想線で示すように角度βに変える場合について説明する。先ずロックピン２３となる頭部が蝶ナット状に形成されたボルト２４の頭部を片手で持ち、他方の手で蝶ナット２５を回転させて、ロックピン２３をピン貫通孔６、１３から抜く。
【００１９】
この結果、略半円形状のベース板３と、木製の柄４を取付けた軸支持部１０は回転中心軸となるボルト２０だけで連結された状態となって、木製の柄４はボルト２０を回転中心として自由に回動できる。
【００２０】
次に柄４と刃部２が角度βとなるように、略半円形状のベース板３の角度βの位置にあるピン貫通孔６に、軸支持部１０のピン貫通孔１３を合わせて、ここからロックピン２３となるボルト２４をピン貫通孔６に貫通させて蝶ナット２５で固定する。
【００２１】
このように、ベース板３の任意のピン貫通孔６に、軸支持部１０のピン貫通孔１３を合わせて、ロックピン２３で固定することにより、刃部２と柄４とのなす角度を任意に調整することができる。またこの可動式鍬１は、略半円形状のベース板３と軸支持部１０とが、回転中心軸となるボルト２０とロックピン２３の２か所で連結されているので、大きな力が刃部２に加わっても、変形する事がなく角度を一定に保持することができる。つまり刃部２に対して柄４を、引き上げようとする力はボルト２０とロックピン２３で支持され、刃部２に対して柄４を回転させようとする力はロックピン２３で支持されるので、大きな力が加わっても変形することがない。
【００２２】
従って、刃部２と柄４との連結角度を任意に設定して、強固に保持できるので、畝作りの場合や、土寄せ用など用途や作業姿勢に合わせて調整でき、１丁の可動式鍬１で数種の役割を果たすことができる。また柄４を、刃部２と平行に折り畳めば、設置スペースも少なく、壁に吊り下げて保管することもできる。また販売する店でも角度の異なる多種類の鍬を陳列する必要がなく、陳列や保管のスペースを少なくすることができる。また柄４と刃部２の角度を９０度以上に広げるとスコップの代用としても使用することができる。
【００２３】
図４は本発明の他の実施例を示すもので、略半円形状のベース板３の外周に沿って所定の間隔で複数個のピン貫通孔６が同一円周上に開孔されていると共に、この隣接するピン貫通孔６の間に、更に複数個のピン貫通孔６が前記円周より小さな半径の同一円周上に開孔されている。また軸支持部１０には２個のピン貫通孔１３、１３が上下に形成されている。
【００２４】
このベース板３は、内周側のピン貫通孔６を使用する時には、軸支持部１０の下部側のピン貫通孔１３にロックピン２３を差し込んでロックする。この可動式鍬１は、ベース板３に開孔したピン貫通孔６の間隔が狭く形成されているので、更に刃部２と柄４の角度を細かく調整することができる。
【００２５】
図５は本発明の他の実施例を示すもので、ロックピン２３として、先端側に貫通孔２６を形成したものを用い、ここにバネ材でＵ形に形成されたストッパー２７を差し込んで、ベース板３と軸支持部１０とを連結するようにしたものである。
【００２６】
なお上記説明では柄４として木製のものを用いた場合について示したが、アルミニュウム製のパイプを用いれば軽量化を図ることができると共に、耐久性を向上させることができる。
【産業上の利用可能性】
【００２７】
上記説明では刃部として板状のものを使用した場合について説明したが、フォーク状のものを取付けた構造にも適用することができる。
【図面の簡単な説明】
【００２８】
【図１】本発明の実施例による可動式鍬の斜視図である。
【図２】図１に示す可動式鍬の要部を拡大して示す側面図である。
【図３】図２の断面図である。
【図４】本発明の他の実施例による可動式鍬の要部を拡大して示す側面図である。
【図５】本発明の異なる他の実施例による可動式鍬の要部を拡大して示す断面図である。
【符号の説明】
【００２９】
１    可動式鍬                                              
２    刃部                                                  
３    略半円形状のベース板                                  
４    柄                                                    
５    軸貫通孔                                              
６    ピン貫通孔                                            
１０  軸支持部                                              
１１  鋼板                                                  
１２  軸貫通孔                                              
１３  ピン貫通孔                                            
１４  ボルト貫通孔                                          
１５  ボルト貫通孔                                          
１６  ボルト                                                
１７  ナット                                                
２０  ボルト                                                
２２  ナット                                                
２３  ロックピン                                            
２４  ボルト                                                
２５  蝶ナット        
２６  貫通孔          
２７  ストッパー      
【図１】
2006067833.tif 000003
【図２】
2006067833.tif 000004
【図３】
2006067833.tif 000005
【図４】
2006067833.tif 000006
【図５】
2006067833.tif 000007